(57)【要約】【課題】  押圧によって、スイッチの切替と基板の傾斜の双方を行えるスイッチ機構および電子機器を提供する。【解決手段】  実施形態のスイッチ機構は，押圧傾斜部材、基板、少なくとも１のスイッチ、少なくとも１の突起を備える。押圧傾斜部材は、支点と、押圧によって前記支点を軸として傾斜する傾斜部と、を有する。基板は、傾斜部と共に傾斜する。スイッチは、基板に配置される。突起は、スイッチに対向して配置され、基板の傾斜に対応して、スイッチを押圧する。【選択図】図１
2019192611.tif 000002
【特許請求の範囲】
【請求項１】
支点と、押圧によって前記支点を軸として傾斜する傾斜部と、を有する押圧傾斜部材と、
前記傾斜部と共に傾斜する基板と、
前記基板に配置される少なくとも１のスイッチと、
前記少なくとも１のスイッチに対向して配置され、前記基板の傾斜に対応して、前記少なくとも１のスイッチを押圧する少なくとも１の突起と、
を具備するスイッチ機構。
【請求項２】
前記押圧傾斜部材を載置する台座をさらに具備し、
前記支点が、互いに係合する形状の凸部、凹部の一方を有し、
前記台座が、前記凸部、凹部の他方を有する
請求項１に記載のスイッチ機構。
【請求項３】
前記凸部および凹部が前記台座と前記押圧傾斜部材の積層方向を軸とする略回転体形状を有し、前記積層方向を軸とする全方位に、前記傾斜が可能である
請求項２に記載のスイッチ機構。
【請求項４】
前記台座が、前記凸部、凹部の他方が配置される、アーチ構造を有する、
請求項２または３に記載のスイッチ機構。
【請求項５】
前記押圧傾斜部材が、前記台座に載置される、弾性部材からなる脚部を有し、
前記傾斜部の傾斜時に、前記脚部が弾性変形する
請求項２乃至４のいずれか１項に記載のスイッチ機構。
【請求項６】
前記押圧傾斜部材が、前記脚部より剛性の大きな２以上の腕部を有し、
前記基板が、前記２以上の腕部の端部に固定される
請求項５に記載のスイッチ機構。
【請求項７】
前記脚部が第１の係合部を有し、
前記台座が前記第１の係合部と係合する第２の係合部を有する
請求項５または６に記載のスイッチ機構。
【請求項８】
前記基板の外周を保持する外周部と、前記外周部に接続される第３の係合部と、を有する基板保持部材をさらに具備し、
前記台座が、前記第３の係合部と前記基板の傾斜が可能に係合する第４の係合部をさらに有する、
請求項７に記載のスイッチ機構。
【請求項９】
前記第１、第２の係合部の係合方向と、前記第３、第４の係合部の係合方向が、逆である
請求項８に記載のスイッチ機構。
【請求項１０】
前記基板上に配置され、前記外周部に係合するカバー部材をさらに具備し、
前記カバー部材が前記基板および前記押圧傾斜部材に固定される
請求項８または９に記載のスイッチ機構。
【請求項１１】
前記基板が、発光素子を有し、
前記カバー部材が、前記発光素子からの光を拡散する拡散部と、前記拡散部で拡散された光を放射する放射部と、を有する
請求項１０に記載のスイッチ機構。
【請求項１２】
前記基板が、集音素子を有し、
前記カバー部材が、前記集音素子に対応する開口を有する
請求項１０または１１に記載のスイッチ機構。
【請求項１３】
請求項１乃至１２のいずれか１項に記載のスイッチ機構と、
前記スイッチ機構が配置される筒状のケースと、
を具備する電子機器。
【発明の詳細な説明】
【技術分野】
【０００１】
本発明の実施形態は，スイッチ機構および電子機器に関する。
【背景技術】
【０００２】
電子機器において、押圧することでスイッチを入り切りすることがある。例えば、回路基板上にスイッチを配置し、このスイッチを指等により押圧することで、切り替えることができる。このとき、回路基板は固定され、押圧によって動くことはない。
【先行技術文献】
【特許文献】
【０００３】
【特許文献１】特開２０１１−６０４６１号公報
【発明の概要】
【発明が解決しようとする課題】
【０００４】
しかしながら、押圧によって、回路基板を動かす（傾ける）ことが適する場合がある。例えば、回路基板と別部材が連係して、応力（例えば、押圧）および信号（例えば、光や音声）を伝達する場合である。このとき、回路基板と別部材の距離、角度などが変化すると、応力、信号の伝達条件が変化してしまう。
本発明は，押圧によって、スイッチの切替と基板の傾斜の双方を行えるスイッチ機構および電子機器を提供することを目的とする。
【課題を解決するための手段】
【０００５】
実施形態のスイッチ機構は，押圧傾斜部材、基板、少なくとも１のスイッチ、少なくとも１の突起を備える。押圧傾斜部材は、支点と、押圧によって前記支点を軸として傾斜する傾斜部と、を有する。基板は、傾斜部と共に傾斜する。スイッチは、基板に配置される。突起は、スイッチに対向して配置され、基板の傾斜に対応して、スイッチを押圧する。
【図面の簡単な説明】
【０００６】
【図１】実施形態に係る電子機器１０を分解した状態を表す分解斜視図である。
【図２】スイッチ機構１２の断面を表す断面図である。
【図３Ａ】台座２０を上方から見た状態を表す斜視図である。
【図３Ｂ】台座２０を下方から見た状態を表す斜視図である。
【図４Ａ】シーソー部材３０を上方から見た状態を表す斜視図である。
【図４Ｂ】シーソー部材３０を下方から見た状態を表す斜視図である。
【図５Ａ】基板４０を上方から見た状態を表す斜視図である。
【図５Ｂ】基板４０を下方から見た状態を表す斜視図である。
【図６】基板保持部材５０を上方から見た状態を表す斜視図である。
【図７】カバー部材６０を下方から見た状態を表す斜視図である。
【図８】シート部材７０の上面図である。
【図９】本体部１１に台座２０を載置した状態を表す斜視図である。
【図１０Ａ】台座２０上にシーソー部材３０を載置した状態を表す斜視図である。
【図１０Ｂ】台座２０上に置いたシーソー部材３０を回転して固定した状態を表す斜視図である。
【図１１】シーソー部材３０上に基板４０を固定した状態を表す斜視図である。
【図１２Ａ】基板４０上に基板保持部材５０を載置する前の状態を表す斜視図である。
【図１２Ｂ】基板４０上に基板保持部材５０を載置した後の状態を表す斜視図である。
【図１３Ａ】基板保持部材５０を回転する前の状態を表す断面斜視図である。
【図１３Ｂ】基板保持部材５０を回転した後の状態を表す断面斜視図である。
【図１４】カバー部材６０を取り付けた状態を表す斜視図である。
【図１５】シート部材７０を取り付けた状態を表す斜視図である。
【発明を実施するための形態】
【０００７】
以下，図面を参照して，実施形態を詳細に説明する。
図１は、実施形態に係る電子機器１０を分解した状態を表す分解斜視図である。
電子機器１０は，情報入出力機器（例えば、ＡＩ（Artificial Intelligence：人工知能）スピーカ）であり、通信機能、入力機能（音声入力、スイッチ入力）、出力機能（音声出力）、発光機能を有する。電子機器１０は、ネットワークに接続し、音声あるいはスイッチでの入力に応じて、種々の音声（天気予報などの音声情報、音楽）を出力する。
【０００８】
電子機器１０は，略円柱形状の外形を有し、本体部１１，スイッチ機構１２を有する。
本体部１１は、電子機器１０の主要な構成要素であり、ケース１３，スピーカ部１４，基体１５を有する。
ケース１３は、電子機器１０の外装（外箱）であり、筒形状を有する。ケース１３中に、他の要素（スピーカ部１４，基体１５、スイッチ機構１２）が格納される。ここでは、ケース１３は、円筒形状であるが、角筒形状など他の形状を採用してもよい。
【０００９】
スピーカ部１４は、スピーカを有し、音声を出力する。
基体１５は、スイッチ機構１２を保持する。
基体１５の下に、電子機器１０の動作に必要なＣＰＵ（Ｃｅｎｔｒａｌ  Ｐｒｏｃｅｓｓｉｎｇ  Ｕｎｉｔ、プロセッサ）、メモリ、通信用カードなどが格納される。メモリはプログラムを保持し、ＣＰＵはこのプログラムによって動作する。通信用カードは、有線または無線（例えば、ＷｉＦｉ）によって、ネットワーク（インターネットを含む）に接続する。
【００１０】
スイッチ機構１２は、台座２０，シーソー部材３０，基板４０，基板保持部材５０，カバー部材６０，シート部材７０を有する。基体１５上に、台座２０，シーソー部材３０，基板４０，基板保持部材５０，カバー部材６０，シート部材７０が順に配置（積層）される。なお、台座２０，シーソー部材３０，基板保持部材５０，カバー部材６０は、例えば、プラスチックの射出成形で作成できる。
図２は、スイッチ機構１２の断面を表す断面図である。
図３Ａ，図３Ｂはそれぞれ、台座２０を上方および下方から見た状態を表す斜視図である。
【００１１】
台座２０は、有底の略円筒形状であり、基体１５上に配置、固定される。後述のように、シーソー部材３０，基板４０，基板保持部材５０，カバー部材６０，シート部材７０は、互いに固定され、台座２０および基体１５に対して、一体的に傾斜可能である。
台座２０は、底板２１，側板２２，脚２３，突起２４、係合部２５，２６を有する。
【００１２】
底板２１は、略円板状の板部材であり、アーチ部２７，凹部２８を有する。
アーチ部２７は、略上に凸のアーチ状部材であり、アーチ形状（上面、下面、共に上に凸の曲面、円形の外周の板形状）を有する。
アーチ部２７の下方にリブ（補強部材）２７Ａが配置される。ここでは、略板形状を有する４つのリブ２７Ａが、アーチ部２７底面の中央近傍で接続され、それぞれアーチ部２７の周に向かって配置される。リブ２７Ａの上端はアーチ部２７の下面に接続され、下端は底板２１の下面と略同一の高さを有する。
ここでは、４つのリブ２７Ａが配置されるが、その個数は適宜に変更できる（例えば、２個または３個）。
【００１３】
凹部２８は、アーチ部２７の中央に配置される。凹部２８に後述のシーソー部材３０の突起３５が挿入される。シーソー部材３０（カバー部材６０）の外周近傍（例えば、後述のシート部材７０のマーク７１のいずれか）が押圧されると（押圧操作）、突起３５を支点として、シーソー部材３０の傾きが変化する。このとき、突起３５が凹部２８を押圧する。
【００１４】
前述のように、凹部２８は、アーチ形状を有するアーチ部２７に配置される。この結果、凹部２８が押圧されたときに、アーチ部２７の沈み込みが回避される。すなわち、底板２１、あるいはアーチ部２７の板厚を大きくしなくても、大きな剛性を確保できる。この結果、押圧操作によって、後述の基板４０のスイッチ４３を安定して入り切りできる。
リブ２７Ａは、アーチ部２７を補強し、凹部２８が押圧されたときのアーチ部２７の沈み込みをさらに抑制する。
【００１５】
側板２２は、ケース１３の内面に対向して配置される。側板２２は、その外周に配置される複数の突起２２Ａを有する。この突起２２Ａは、ケース１３の内面に近接（あるいは当接）し、台座２０の安定した保持に寄与する。突起２２Ａ間の間隙は、ケース１３内からの放熱に寄与する。
【００１６】
複数（ここでは、４つ）の脚２３は、基体１５上に台座２０を保持する。
突起２４は、基板４０のスイッチ４３に対向して配置され、押圧に応じて基板４０が傾いたときに、スイッチ４３を押圧、切り替える。基板４０が傾斜することで、いずれかのスイッチ４３が下がり、突起２４を押す。相対的に見れば、突起２４がスイッチ４３を押圧することになる。
ここでは、４つの突起２４が４つのスイッチ４３と対向している。
【００１７】
係合部２５は、後述のシーソー部材３０の脚下部３７と係合する。ここでは、係合部２５は、突起２４の下部に形成された切り欠きである。なお、係合部２５の位置、形状等は適宜に変更してもよい。
【００１８】
底板２１上、係合部２５の両側に止め部材Ｓおよび位置決め部材Ｔが配置される。止め部材Ｓは係合部２５の近傍に、位置決め部材Ｔは係合部２５から離間して配置される。なお、この詳細は後述する。
【００１９】
係合部２６は、後述の基板保持部材５０の係合片５４と係合する。ここでは、係合部２６は、底板２１の外周近傍に形成された切り欠きである。
【００２０】
図４Ａ，図４Ｂはそれぞれ、シーソー部材３０を上方および下方から見た状態を表す斜視図である。
既述のように、シーソー部材３０は、押圧操作によって、基板４０，基板保持部材５０，カバー部材６０，シート部材７０と一体となって傾く。
シーソー部材３０は、基部３１，腕３２（３２Ａ，３２Ｂ）、接続部３３（３３Ａ，３３Ｂ）、脚３４を有する。
【００２１】
基部３１は、略円板形状の部材であり、下面に突起３５を有する。
突起３５は、台座２０の凹部２８に挿入され、支点として機能する。すなわち、押圧操作時に突起３５を中心として、シーソー部材３０の傾きが変化する。このとき、シーソー部材３０は、いわゆるシーソーのように動く。シーソー部材３０の外周近傍のいずれか（例えば、接続部３３のいずれか）が押圧されて下がった場合、その逆側（例えば、押圧された接続部３３と反対側の接続部３３）が上がることになる。
【００２２】
基部３１，腕３２（３２Ａ，３２Ｂ）、接続部３３（３３Ａ，３３Ｂ）は、押圧によって、支点（突起３５）を軸（中心）として傾斜する傾斜部として機能する。
【００２３】
図４Ａに示すように、押圧によって、シーソー部材３０を角度θ傾斜することができる（基部３１の中心軸がＣ０からＣ１に変化）。このとき、押圧の箇所に応じて、傾斜の方位Φを変更できる。なお、この図では、方位の基準Ｌ０に対して、方位角Φの接続部３３Ａが押圧されたとしている。
【００２４】
突起３５は、少なくともその先端が中心軸Ｃ０（台座２０とシーソー部材３０の積層方向）を軸とする略回転体曲面形状（例えば、略球状）であることが、好ましい。略回転体とすることで、傾斜の方位Φの選択の自由度が大きくなる。すなわち、中心軸Ｃ０を軸とする全方位Φに、傾斜が可能となる。
一方、台座２０の凹部２８は、突起３５と対応する略回転体曲面形状（例えば、球状凸面）を有し、凹部２８内に突起３５の先端が挿入された状態で、突起３５（シーソー部材３０）の傾きを変更できる。
【００２５】
ここでは、突起３５は、その先端（下端）３５Ａが略球面形状であり、その上部は球面よりやや尖った略回転楕円体形状を有する。先端３５Ａが略球面形状であることで、全方位Φ（３６０°）でのシーソー部材３０の傾斜が容易となる。
【００２６】
ここでは、台座２０、シーソー部材３０それぞれに凹部２８、突起３５が配置されているが、この逆に、台座２０、シーソー部材３０それぞれに突起３５、凹部２８を配置してもよい。この場合、シーソー部材３０の凹部２８を支点として、シーソー部材３０の角度（傾き）を変更できる。
【００２７】
腕３２（３２Ａ，３２Ｂ）は、基部３１と接続部３３を接続する部材である。この腕３２および基部３１は、脚３４より剛性が大きい。このため、腕３２および基部３１の少なくとも一部は、脚３４（後述の脚上部３６）より、肉厚となっている。この結果、基部３１，腕３２は、一体的に傾く。一方、脚３４（脚上部３６）は、基部３１の傾きに応じて、弾性的に変形する。
【００２８】
ここでは、腕３２は、その一部（その中心軸近傍）を肉厚としている。腕３２全体を肉厚とする場合に比べ、平均肉厚を小さくしても、剛性を保つことが可能となり、使用材料の量を低減できる。
【００２９】
一対の腕３２Ａおよび３２Ｂがそれぞれ、基部３１の反対側に配置される。この結果、シーソー部材３０（腕３２）がバランスを保った状態で傾斜することが容易となる。
【００３０】
但し、必ずしも一対の腕３２が互いに反対側に配置されなければならない訳では無い。例えば、３つの腕３２を３方向に配置することも可能である。すなわち、必要に応じて、腕３２の個数を１以上の適宜の個数とすることができる。このとき、腕３２の個数に応じて、スイッチ４３の個数を適宜に増減できる。
【００３１】
台座２０の突起２４は、腕３２の間に配置される。すなわち、腕３２と突起２４が配置される方位をずらしている。この結果、基板４０上に、腕３２と接続される接続部（後述の貫通孔４４Ａ、４４Ｂ）およびスイッチ４３を適宜に分散して配置することが容易となる。
【００３２】
接続部３３（３３Ａ，３３Ｂ）は、腕３２（３２Ａ，３２Ｂ）の端部の上面に固定され、基板４０およびシート部材７０に固定される。
接続部３３Ａは、後述の基板４０の貫通孔４４Ａを通るネジＢ１によって、基板４０に固定される。
【００３３】
一方、接続部３３Ｂは、後述のカバー部材６０のネジ穴６８および基板４０の貫通孔４４Ｂを通るネジＢ２によって、カバー部材６０および基板４０に固定される。このとき、カバー部材６０と基板４０の間に基板保持部材５０の上板５１が挟み込まれるので、接続部３３Ｂは、基板４０、基板保持部材５０、カバー部材６０に固定されることになる。
【００３４】
脚３４は、脚上部３６，脚下部３７，脚中間部３８を有し、シーソー部材３０を台座２０の底板２１の上に載置する。
脚上部３６は、弾性部材であり、基部３１に接続される。
既述のように、シーソー部材３０（基部３１、腕３２，接続部３３）は、底板２１上に載置された状態で、その傾きを変えることができる。このとき、特に脚上部３６が弾性変形することで、シーソー部材３０を台座２０の底板２１の上に載置した状態が保たれ、シーソー部材３０の安定した動き（傾斜）が可能となる。
【００３５】
脚下部３７（第１の係合部）は、脚中間部３８を介して腕３２に接続され、台座２０の底板２１上に配置されると共に、台座２０の係合部２５（第２の係合部）と係合する。
台座２０上にシーソー部材３０を配置し、左に回転すると、係合部２５（切り欠き）の中にシーソー部材３０の脚下部３７が入り、台座２０の止め部材Ｓに当たって停止する。止め部材Ｓは、脚下部３７の側部と当接して、脚下部３７がさらに左に回転して、係合部２５（切り欠き）内から外れることを防止する。
なお、台座２０の位置決め部材Ｔは、シーソー部材３０を回転する前に、シーソー部材３０の脚下部３７の位置決めに用いられる。
【００３６】
図５Ａ，図５Ｂはそれぞれ、基板４０を上方および下方から見た状態を表す斜視図である。
基板４０は、集積回路、配線等を有する回路基板であり、略円板形状を有し、発光素子４１，集音素子４２，スイッチ４３，貫通孔４４Ａ，４４Ｂを有する。
【００３７】
発光素子４１は基板４０の上面に配置される。発光素子４１は、電気で発光する例えばＬＥＤである。
集音素子４２は、基板４０の下面に配置される。集音素子４２は、音声を電気信号に変換するマイクであり、内側（基板４０側）にマイク穴（図示せず）を有する。集音素子４２は、外部の音声を基板４０の上面の開口４５およびマイク穴を介して受け取り、電気信号に変換する。
スイッチ４３は、例えば、ボタン式スイッチである。スイッチ４３は、基板４０の下面に配置され、台座２０の突起２４によって押圧され、スイッチが切り替わる。
【００３８】
図６は、基板保持部材５０を上方から見た状態を表す斜視図である。
基板保持部材５０は，基板４０を保持固定する部材であり、上板５１，側板５２、脚５３，係合片５４を有する。
上板５１は、略ドーナツ状円板であり、基板４０の外周近傍を上から押さえ、保持する。上板５１は、基板の外周を保持する外周部として機能する。
【００３９】
上板５１は、内周に沿って突出部５５を有する。これら突出部５５は、後述のカバー部材６０の係合部６３と係合する。すなわち、突出部５５（凸部）は、係合部６３（凹部）と対応する形状を有し、互いに嵌まり合うことで、基板保持部材５０とカバー部材６０間での回転が規制される。
ここでは、４つの略円弧形状、および２つの角形状の突出部５５が配置されているが、突出部５５の形状、個数は適宜に設定できる。
【００４０】
側板５２は、基板４０の外周に対応する内周を有し、基板４０の外周を覆う。
脚５３および係合片５４は、外周部に接続される第３の係合部として機能する。また、台座２０の係合部２６（切り欠き）は、第３の係合部と前記基板の傾斜が可能に係合する第４の係合部として機能する。
【００４１】
また、側板５２は、後述のように、カバー部材６０の上板６１の外周側面に対向する内周側面を有する。側板５２は、カバー部材６０の上板６１の外周側面から出射される光をこの内周側面で受けて、外周側面から放射（拡散）する（導光）。このため、側板５２（あるいは基板保持部材５０）は透光性の材料から構成することが好ましい。
なお、側板５２の外周側面は、図２に示すように、斜め上方を向いていることが好ましい。外周側面から放射する光によって、シート部材６０の上面を照らすことが容易となる。
【００４２】
脚５３は、側板５２から下方に延伸し、台座２０の係合部２６（切り欠き）に挿入される。
係合片５４は、基板保持部材５０が上方に引き抜かれることを防止する係止手段である。
【００４３】
ここで、基板４０が傾斜していないとき、係合片５４は台座２０の底板２１の下面から離間している。基板４０の傾斜に応じて、係合片５４と底板２１の下面間の距離が変化する。すなわち、係合片５４と底板２１の下面間に適度の遊びがあることで、台座２０から基板４０等が外れることを防止し、かつ基板４０等が傾斜することを可能としている（基板４０を上方に引くと引っかかる一種の引っ掛け構造）。
【００４４】
シーソー部材３０、基板４０が順に積層された台座２０上に、基板保持部材５０を配置し、係合部２６（切り欠き）に脚５３，係合片５４を通す。この状態で、基板保持部材５０を右に回転すると、係合片５４が係合部２６（切り欠き）の無い底板２１の下に移動する。そして、脚５３が係合部２６（切り欠き）の内壁に当接することで停止する。すなわち、基板保持部材５０のさらなる右回転が制限される。このとき、係合片５４が係合部２６（切り欠き）の無い底板２１の下にあることで、基板保持部材５０が上方に引き抜けなくなる。
【００４５】
既述のように、シーソー部材３０は台座２０に対して、ある程度左に回転すると、それ以上の左回転が規制される。これに対して、基板保持部材５０は右回転が規制される。すなわち、シーソー部材３０、台座２０（第１、第２の係合部）の係合方向と、基板保持部材５０、台座２０（第３、第４の係合部）の係合方向が、逆方向である。
この結果、シーソー部材３０と基板保持部材５０が固定されれば、台座２０に対して左右いずれにも回転が規制されることになる。
以上では、シーソー部材３０と台座２０間、基板保持部材５０と台座２０間それぞれで、左回転および右回転が規制されていたが、この逆でも差し支えない。
【００４６】
図７は、カバー部材６０（天板）を下方から見た状態を表す斜視図である。
カバー部材６０は、透光性の部材（例えば、ガラス、プラスチック）からなる略円板形状を有し、上板６１，凸部６２，係合部６３，レンズ部６６，開口６７，ネジ穴６８を有する。
【００４７】
上板６１は、基板保持部材５０の上板５１上に置かれ、基板４０を覆う。
凸部６２は、上板６１の外周に沿って、その内側に形成される略ドーナツ状の平板形状を有する。凸部６２は、基板保持部材５０の上板５１の内周内に突出して、基板４０と近接または接触する。凸部６２が基板４０と近接または接触することで、基板４０上の発光素子４１からの光，集音素子４２への音声の伝達効率を向上できる。
【００４８】
係合部６３は、上板６１と凸部６２の境界が、上板６１の内側に向かって突き出た領域（凸部６２から見れば凹部）である。既述のように、係合部６３は、基板保持部材５０の突出部５５と係合して、基板保持部材５０とカバー部材６０間での回転を規制する。すなわち、カバー部材６０は、基板４０上に配置され、上板５１（外周部）に係合する。
ここでは、突出部５５と対応して、４つの略円弧形状、および２つの角形状の係合部６３が配置されているが、係合部６３の形状、個数は適宜に設定できる。
【００４９】
レンズ部６６は、凸部６２上に球面状の凹面（凹レンズ）が形成された領域である。レンズ部６６は、基板４０の発光素子４１と近接、対向して配置され、発光素子４１からの光を広げて、凸部６２内に導入する。レンズ部６６は、発光素子４１からの光を拡散する拡散部として機能する。
凸部６２に導入された光は、上板６１の側面から出射し、基板保持部材５０の側板５２にその内周側面から入射し、その外周側面および上面から出射する。すなわち、上板６１（および基板保持部材５０の側板５２）は、拡散部で拡散された光を放射する放射部として機能する。
この光は、後述のシート部材７０のマーク７１を照らし、暗所での操作を容易とする。
【００５０】
開口６７は、基板４０の集音素子４２に対応して配置され、外部からの音声が集音素子４２に容易に到達するようにする。
ネジ穴６８は、ネジＢ２を通し、基板４０の貫通孔４４Ｂ、シーソー部材３０の接続部３３Ｂに固定される。
【００５１】
図８は、シート部材７０の上面図である。
シート部材７０は、カバー部材６０の上面に粘着剤等で固定され、マーク７１，貫通孔７２を有する。
このシート部材７０は、透光性、非透光性のいずれとしてもよい。シート部材７０を非透光性としても、基板保持部材５０の側板５２の外周側面等から出射（放射、拡散）する光によって、シート部材７０の上面を照らすことができる。
【００５２】
マーク７１はスイッチ４３に対応して配置される。すなわち、押圧したマーク（ボタン）７１に対応するスイッチ４３が入る。ここでは、４つのスイッチ４３（４つの機能、すなわち、マルチ機能、マイクミュート、音量増加、および音量低減）に対応して、４つのマーク（ボタン）７１が示される。
マルチ機能ボタン（ファンクションボタン）は、適宜の機能を実現できる。例えば、電子機器１０を外部機器と無線接続可能とするための関連付け（ペアリング）に利用できる。
マイクミュートボタンは、集音素子４２による集音を停止するためのボタンである。
音量増加、音量停止のボタンは、スピーカ部１４から出力される音声の大きさを増減するためのボタンである。
【００５３】
貫通孔７２は、カバー部材６０の開口６７と連通し、集音素子４２への音声の伝達を容易とする。
【００５４】
（組立手順）
以下、電子機器１０の組立（本体部１１へのスイッチ機構１２の取り付け）の手順を示す。
Ａ．台座２０の取り付け
本体部１１の基体１５上に台座２０を載置する（図９参照）。このとき、必要に応じて、台座２０は本体部１１にネジ等で固定できる。
【００５５】
Ｂ．シーソー部材３０の取り付け
（１）シーソー部材３０の載置
台座２０上にシーソー部材３０を載置する（図１０Ａ参照）。このとき、シーソー部材３０の脚下部３７が台座２０の突起２４と位置決め部材Ｔの間に配置される。
【００５６】
（２）シーソー部材３０の回転
台座２０上のシーソー部材３０を左に回転する（図１０Ｂ参照）。この回転によって、シーソー部材３０の脚下部３７が台座２０の係合部２５（切り欠き）に挿入され、止め部材Ｓに当接して回転が止まる。
【００５７】
Ｃ．基板４０の取り付け
シーソー部材３０上に基板４０を載置し、ネジ（ビス）Ｂ１で固定する（図１１参照）。基板４０の貫通孔４４ＡにネジＢ１の軸を通し、シーソー部材３０の接続部３３にネジ止めする。
基板４０は、シーソー部材３０に取り付けられている。しかし、この段階では基板４０およびシーソー部材３０を右に回転すると、上方に取り出すことが可能である。
【００５８】
Ｄ．基板保持部材５０の取り付け
（１）基板保持部材５０の載置
基板４０上に基板保持部材５０を載置する（図１２Ａ，図１２Ｂ参照）。基板保持部材５０の脚５３を台座２０の係合部２６（切り欠き）に挿入する。この結果、基板４０の外周近傍が基板保持部材５０の上板５１に保持される。
【００５９】
（２）基板保持部材５０の回転
基板保持部材５０を右に回転する（図１３Ａ，図１３Ｂ参照）。この回転によって、基板保持部材５０の脚５３が係合部２６（切り欠き）内を移動し、その内壁に当接することで停止する。このとき、係合片５４が係合部２６（切り欠き）の無い底板２１の下にあることで、基板保持部材５０が上方に引き抜けなくなる。
【００６０】
Ｅ．カバー部材６０の取り付け
基板保持部材５０にカバー部材６０を載置し、取り付ける（図１４参照）。基板保持部材５０の係合片５４にカバー部材６０の係合部６３を係合させ、ネジＢ２で固定する。カバー部材６０のネジ穴６８および基板４０の貫通孔４４ＢにネジＢ２の軸を通し、シーソー部材３０の接続部３３Ｂにネジ止めする。
【００６１】
この結果、基板４０は、シーソー部材３０および基板保持部材５０の双方に固定され、回転できなくなる。仮に、シーソー部材３０および基板保持部材５０が互いに固定されていなければ、これら自体はそれぞれ、右回転、左回転して、台座２０から取り外すことができる。
しかし、ここではシーソー部材３０および基板保持部材５０がネジＢ２で固定されている。このため、シーソー部材３０および基板保持部材５０は回転できない。すなわち、左回転が規制されるシーソー部材３０と右回転が規制される基板保持部材５０が固定されることで、右、左いずれも回転もできなくなり、基板４０が台座２０に安定して保持される。
【００６２】
Ｆ．シート部材７０の取り付け
粘着剤等を用いて、カバー部材６０上にシート部材７０が取り付けられる（図１５参照）。
【００６３】
以上のように、本実施形態は次のような特徴を有する。
シーソー部材３０の腕３２（３２Ａ，３２Ｂ）が中央の突起３５を支点として、傾斜できる。一方、シーソー部材３０、基板４０，基板保持部材５０，カバー部材６０が固定される。
このため、カバー部材６０（天板）を押圧すると、シーソー部材３０、基板４０，基板保持部材５０，カバー部材６０が中央の突起３５を支点として、一体的に傾く。
【００６４】
基板４０が傾くことで、基板４０のスイッチ４３が台座２０上の突起２４によって押圧される。スイッチ４３を基板４０の下面に配置し、台座２０上の突起２４によって、間接的に押圧できる。
【００６５】
このとき、基板４０とカバー部材６０（シーソー部材３０）は互いに固定され、距離は一定である。このため、基板４０が傾斜しても、発光素子４１，集音素子４２の機能（集音、発光機能）を維持できる。
【００６６】
カバー部材６０を押圧する箇所を変更することで、基板４０が傾斜する方位Φを変更し、押圧するスイッチ４３（例えば、４つ）を選択できる。
【００６７】
シーソー部材３０の突起３５が係合する台座２０の凹部２８をアーチ部２７に配置している。支点の押圧が印加される箇所をアーチ構造とすることで、省スペース、かつ高強度とした。すなわち、支点の沈み込みを抑制し、シーソー部材３０の動作の確実が図られる。
【００６８】
シーソー部材３０の腕３２（３２Ａ，３２Ｂ）の先端で基板４０を固定している。基板４０の中央に支点の応力が印加されることが回避される。基板４０の中央への部品、配線の配置が可能となり、基板４０への負荷、制約を回避している。
【００６９】
シーソー部材３０は、脚３４によって弾性的に台座２０上に載置される。腕３２（３２Ａ，３２Ｂ）が傾いても、脚３４が弾性変形することで、シーソー部材３０は、台座２０上に安定的に載置される。
【００７０】
シーソー部材３０、基板４０，カバー部材６０は、基板保持部材５０に固定され、基板保持部材５０の係合片５４によって、台座２０の係合部６３と、傾斜可能に係合される（引っ掛け構造）。既述のように、係合片５４と底板２１下面間に適度の遊び（間隔）があることで、基板４０等の傾斜が可能となり、かつ台座２０から基板４０等が外れることが防止される。
【００７１】
本発明のいくつかの実施形態を説明したが，これらの実施形態は，例として提示したものであり，発明の範囲を限定することは意図していない。これら新規な実施形態は，その他の様々な形態で実施されることが可能であり，発明の要旨を逸脱しない範囲で，種々の省略，置き換え，変更を行うことができる。これら実施形態やその変形は，発明の範囲や要旨に含まれるとともに，特許請求の範囲に記載された発明とその均等の範囲に含まれる。
【符号の説明】
【００７２】
１０： 電子機器，１１： 本体部，１２： スイッチ機構，１３： ケース，１４： スピーカ部，１５： 基体，２０： 台座，２１： 底板，２２： 側板，２２Ａ： 突起，２３： 脚，２４： 突起，２５，２６： 係合部，２７： アーチ部，２７Ａ： リブ，２８： 凹部，３０： シーソー部材，３１： 基部，３２： 腕，３２（３２Ａ，３２Ｂ）： 腕，３３（３３Ａ，３３Ｂ）： 接続部，３４： 脚，３５： 突起，３５Ａ： 先端，３６： 脚上部，３７： 脚下部，３８： 脚中間部，４０： 基板，４１： 発光素子，４２： 集音素子，４３： スイッチ，４４Ａ、４４Ｂ： 貫通孔，５０： 基板保持部材，５１： 上板，５２： 側板，５３： 脚，５４： 係合片，５５： 突出部，６０： カバー部材，６１： 上板，６２： 凸部，６３： 係合部，６６： レンズ部，６７： 開口，６８： ネジ穴，７０： シート部材，７１： マーク，７２： 貫通孔，Ｓ： 止め部材，Ｔ： 位置決め部材
【図１】
2019192611.tif 000003
【図２】
2019192611.tif 000004
【図３Ａ】
2019192611.tif 000005
【図３Ｂ】
2019192611.tif 000006
【図４Ａ】
2019192611.tif 000007
【図４Ｂ】
2019192611.tif 000008
【図５Ａ】
2019192611.tif 000009
【図５Ｂ】
2019192611.tif 000010
【図６】
2019192611.tif 000011
【図７】
2019192611.tif 000012
【図８】
2019192611.tif 000013
【図９】
2019192611.tif 000014
【図１０Ａ】
2019192611.tif 000015
【図１０Ｂ】
2019192611.tif 000016
【図１１】
2019192611.tif 000017
【図１２Ａ】
2019192611.tif 000018
【図１２Ｂ】
2019192611.tif 000019
【図１３Ａ】
2019192611.tif 000020
【図１３Ｂ】
2019192611.tif 000021
【図１４】
2019192611.tif 000022
【図１５】
2019192611.tif 000023